(57)【特許請求の範囲】
【請求項１】
被写体画像の外側の余白部分に、方眼紙模様がプリントされた証明写真において、
前記方眼紙模様の縦及び横の罫線は、当該罫線方向の１本又は複数本のドットライン上に配置された、着色されたドット領域である着色ドットから構成されており、
前記罫線を形成するドットラインの本数が多いほど、前記罫線における単位長さあたりの着色ドットが占める面積の割合が小さいことを特徴とする証明写真。
【請求項２】
請求項１に記載の証明写真において、
一の着色ドットの一の角部に隣接する全て（ｎ個）のドット領域のうち、着色されたドット領域はｎ−１個以下であることを特徴とする証明写真。
【請求項３】
請求項１又は２に記載の証明写真において、
前記縦の罫線と前記横の罫線との交点では、当該縦の罫線を構成する着色ドットが成すドットパターンと、当該横の罫線を構成する着色ドットが成すドットパターンとが、一致することを特徴とする証明写真。
【請求項４】
請求項１又は２に記載の証明写真において、
前記縦の罫線と前記横の罫線との交点では、何れか一方の罫線を構成する着色ドットのみが配置されていることを特徴とする証明写真。
【請求項５】
請求項１〜４の何れか一項に記載の証明写真を作成することを特徴とする証明写真撮影装置。
【発明の詳細な説明】
【技術分野】
【０００１】
本発明は、証明写真及び証明写真撮影装置に関する。
【背景技術】
【０００２】
従来、証明写真撮影装置においては、例えば、撮影した顔画像から被撮影者の顔範囲を検出できるようになっており、これによって、例えば、被撮影者の顔の横方向における中心がセンタリングされた被写体画像や、被撮影者の顔サイズが調整された被写体画像などを自動的にプリントして、証明写真を作成するようになっている（例えば、特許文献１参照）。
【０００３】
証明写真撮影装置は、例えば、複数の被写体画像を１枚の用紙にプリントした証明写真を作成するため、被撮影者は、被写体画像を使用するときには、当該用紙から被写体画像を切り取る必要がある。
【０００４】
通常、証明写真撮影装置においては、被写体画像のサイズを指定することができるようになっているが、指定可能なサイズが限られている場合が多く、また、プリントされた被写体画像のサイズが当該指定したサイズよりも若干大きい場合が多い。したがって、被写体画像を適切なサイズに切り取るためには、例えば、定規等を用いて切取位置を予め決定しておく必要がある。そこで、例えば、図１４に示すように、証明写真Ｒｚにおける被写体画像Ｐｚの外側の余白部分に、方眼紙模様Ｑｚをプリントする方法が考案された。
【０００５】
具体的に、例えば、図１４に示す証明写真Ｒｚ中の方眼紙模様Ｑｚと、図１５に示す図１４の方眼紙模様Ｑｚ中のエリアＱ２ｚを拡大した図とを参照して説明する。
方眼紙模様Ｑｚの縦の罫線Ｓ１ｚ及び横の罫線Ｓ２ｚは、例えば、図１５に示すように、罫線方向のドットラインＬｚ上に連続して配置された着色ドットＤｚ，…から構成されている。
方眼紙模様Ｑｚの縦の罫線Ｓ１ｚ及び横の罫線Ｓ２ｚには、例えば、図１４に示すように、５mm間隔で配置された太罫線（縦の太罫線Ｓ１１ｚ，…及び横の太罫線Ｓ２１ｚ，…）と、１mm間隔で配置された細罫線（縦の細罫線Ｓ１２ｚ，…及び横の細罫線Ｓ２２ｚ，…）とがあり、罫線を形成するドットラインＬｚの本数によって、太罫線と細罫線との違いを出している。
すなわち、例えば、図１４に示すように、太罫線は、２本のドットラインＬｚによって形成され、細罫線は、１本のドットラインＬｚによって形成されている。
この場合、太罫線は、細罫線の２倍の太さになるが、プリンタの解像度や、インクリボンや用紙の特性などの影響によって、太罫線と細罫線とを同一の印字色（例えば、シアン）で同一の色濃度（例えば、最高濃度）でプリントしたとしても、複数のドットラインＬｚで形成される太罫線の方が、細罫線よりも色がのって濃くなり、太罫線が目立ちすぎるという問題がある。
この問題を解決するために、例えば、太罫線を、細罫線よりも低い色濃度でプリントする方法が考えられる。
【特許文献１】特開２００２−２７７９３３号公報
【発明の開示】
【発明が解決しようとする課題】
【０００６】
しかしながら、色濃度を最高濃度にしてプリントすると色の出方が安定する等の理由から、太罫線と細罫線とを、印字色の最高濃度でプリントすることが望まれている。
【０００７】
本発明の課題は、被写体画像の外側の余白部分にプリントされた方眼紙模様の太罫線と細罫線の見た目の濃さを、印字色や色濃度を変えずに略同等にすることができる証明写真及び当該証明写真を作成する証明写真撮影装置を提供することにある。
【課題を解決するための手段】
【０００８】
上記課題を解決するために、請求項１に記載の発明は、
被写体画像の外側の余白部分に、方眼紙模様がプリントされた証明写真において、
前記方眼紙模様の縦及び横の罫線は、当該罫線方向の１本又は複数本のドットライン上に配置された、着色されたドット領域である着色ドットから構成されており、
前記罫線を形成するドットラインの本数が多いほど、前記罫線における単位長さあたりの着色ドットが占める面積の割合が小さいことを特徴とする。
【０００９】
請求項２に記載の発明は、
請求項１に記載の証明写真において、
一の着色ドットの一の角部に隣接する全て（ｎ個）のドット領域のうち、着色されたドット領域はｎ−１個以下であることを特徴とする。
【００１０】
請求項３に記載の発明は、
請求項１又は２に記載の証明写真において、
前記縦の罫線と前記横の罫線との交点では、当該縦の罫線を構成する着色ドットが成すドットパターンと、当該横の罫線を構成する着色ドットが成すドットパターンとが、一致することを特徴とする。
【００１１】
請求項４に記載の発明は、
請求項１又は２に記載の証明写真において、
前記縦の罫線と前記横の罫線との交点では、何れか一方の罫線を構成する着色ドットのみが配置されていることを特徴とする。
【００１２】
請求項５に記載の発明は、
証明写真撮影装置において、
請求項１〜４の何れか一項に記載の証明写真を作成することを特徴とする。
【発明の効果】
【００１３】
請求項１に記載の発明によれば、罫線を形成するドットラインの本数が多いほど、罫線における単位長さあたりの着色ドットが占める面積の割合が小さくなるようになっている。
すなわち、本発明では、目立ち易い太罫線ほど、無着色のドット領域の割合が大きくなるため、被写体画像の外側の余白部分にプリントされた方眼紙模様の太罫線と細罫線の見た目の濃さを、印字色や色濃度を変えずに略同等にすることができる。
【００１４】
請求項２に記載の発明によれば、請求項１に記載の発明と同様の効果が得られることは無論のこと、一の着色ドットの一の角部に隣接する全て（ｎ個）のドット領域のうち、着色されたドット領域はｎ−１個以下になっている。
したがって、例えば、一の着色ドットの一の角部に隣接する全てのドット領域が着色された場合には、当該一の角部付近が、当該一の角部付近以外の部分よりも色がのって濃くなるため、罫線の見た目の濃さが増大してしまうが、本発明では、当該全て（ｎ個）のドット領域のうち、着色されたドット領域（着色ドット）はｎ−１個以下であるため、罫線の見た目の濃さを増大させる要因を１つ排除することができる。
【００１５】
請求項３に記載の発明によれば、請求項１又は２に記載の発明と同様の効果が得られることは無論のこと、縦の罫線と横の罫線との交点では、当該縦の罫線を構成する着色ドットが成すドットパターンと、当該横の罫線を構成する着色ドットが成すドットパターンとが、一致するようになっている。
したがって、例えば、交点部分で、縦の罫線のドットパターンと横の罫線のドットパターンとが足し合わさると、交点部分の着色ドットの割合が、交点以外の部分の着色ドットの割合よりも大きくなるため、交点部分の見た目の濃さが増大してしまうが、本発明では、交点部分において、縦の罫線と横の罫線とでドットパターンが一致するため、縦の罫線のドットパターンと横の罫線のドットパターンとが足し合わさることがなくなって、交点部分の着色ドットの割合と、交点以外の部分の着色ドットの割合とを略同等にすることができる。
【００１６】
請求項４に記載の発明は、請求項１又は２に記載の発明と同様の効果が得られることは無論のこと、縦の罫線と横の罫線との交点では、何れか一方の罫線を構成する着色ドットのみが配置されるようになっている。
したがって、例えば、交点部分で、縦の罫線のドットパターンと横の罫線のドットパターンとが足し合わさると、交点部分の着色ドットの割合が、交点以外の部分の着色ドットの割合よりも大きくなるため、交点部分の見た目の濃さが増大してしまうが、本発明では、交点部分において、何れか一方の罫線を構成する着色ドットのみが配置され、他方の罫線を構成する着色ドットは配置されないため、縦の罫線のドットパターンと横の罫線のドットパターンとが足し合わさることがなくなって、交点部分の着色ドットの割合と、交点以外の部分の着色ドットの割合とを略同等にすることができる。
【００１７】
請求項５に記載の発明によれば、請求項１〜４の何れか一項に記載の証明写真を作成することができるため、上述した、請求項１〜４の何れか一項に対応する効果を有する証明写真を作成する証明写真撮影装置を提供することができる。
【発明を実施するための最良の形態】
【００１８】
以下、図を参照して、本発明にかかる証明写真及び当該証明写真を作成する証明写真撮影装置の最良の形態を詳細に説明する。なお、発明の範囲は、図示例に限定されない。
【００１９】
＜証明写真撮影装置の構成＞
まず、証明写真撮影装置１の構成について、図１及び２を参照して説明する。
証明写真撮影装置１は、例えば、証明写真Ｒの被写体画像Ｐの外側の余白部分に、方眼紙模様Ｑがプリントされた証明写真Ｒ（例えば、図３）を作成する。
具体的には、証明写真撮影装置１は、例えば、図１に示すように、ボックス型に形成されており、例えば、証明写真撮影装置１の外側には、作成された証明写真Ｒを取り出すための取出口８１が設けられている。
また、例えば、証明写真撮影装置１の内部には、撮影室１ａが設置されている。
【００２０】
撮影室１ａには、例えば、被撮影者Ｍが座る椅子１ｂが回転可能に設置されており、椅子１ｂは、回転によって昇降するようになっている。
また、例えば、撮影室１ａにおける被撮影者Ｍの上方、正面及び背面に相当する位置には、それぞれ照明用のストロボ２０ａが設置されている。
また、例えば、撮影室１ａにおける被撮影者Ｍの正面に相当する位置には、操作手順等の撮影に関する各種画面や撮影した被写体画像Ｐなどを表示するための表示部４０と、被撮影者Ｍが撮影室１ａ内に入室したことを検出するための入室センサ５０と、撮影料金を精算するためのコインメック６０と、被撮影者Ｍが操作指示を入力するための操作ボタン７０ａやタッチパネル７０ｂと、などが設置されている。
【００２１】
証明写真撮影装置１は、例えば、図２に示すように、本体部１０と、ストロボユニット２０と、デジタルカメラ３０と、表示部４０と、入室センサ５０と、コインメック６０と、操作部７０と、プリンタ部８０と、などを備えて構成される。
【００２２】
本体部１０は、例えば、制御部１１と、Ｉ／Ｏ（Input/Output）コントロール１２と、Ｉ／Ｆ（InterFace）１３と、ＤＶＤ（Digital Versatile Disk）記憶部１４と、ＲＡＭ（Random Access Memory）１５と、ＲＯＭ（Read Only Memory）１６と、などを備えて構成される。そして、本体部１０は、例えば、Ｉ／Ｏコントロール１２を介して、ストロボユニット２０や、コインメック６０、操作部７０などと接続しており、Ｉ／Ｆ１３を介してプリンタ部８０等と接続している。
【００２３】
制御部１１は、例えば、証明写真撮影装置１の各部を集中制御する。
具体的には、制御部１１は、例えば、ＲＯＭ１６に記憶された証明写真撮影装置１用の各種処理プログラムに従って各種の制御動作を行う。
より具体的には、制御部１１は、例えば、デジタルカメラ３０により撮影されて生成された顔画像データに各種画像加工を施して被写体画像データを生成し、当該被写体画像データをＲＯＭ１６に記憶された方眼紙模様データに貼り付けて合成した合成画像データを生成する。
【００２４】
Ｉ／Ｏコントロール１２は、ストロボユニット２０や、コインメック６０、操作部７０などとの間で各種情報を入出力するためのインターフェイスである。
【００２５】
Ｉ／Ｆ１３は、例えば、プリンタ部８０等との間で各種情報を入出力するためのインターフェイスである。
【００２６】
ＤＶＤ記憶部１４は、例えば、デジタルカメラ３０により撮影されて生成された顔画像データと、制御部１１により生成された被写体画像データや合成画像データと、などを記憶する。
【００２７】
ＲＡＭ１５は、制御部１１によって実行される処理プログラムなどを展開するためのプログラム格納領域や、入力データや上記処理プログラムが実行される際に生じる処理結果などを格納するデータ格納領域などを備える。
【００２８】
ＲＯＭ１６は、証明写真撮影装置１で実行可能なシステムプログラム、当該システムプログラムで実行可能な各種処理プログラム、これら各種処理プログラムを実行する際に使用されるデータ、制御部１１によって演算処理された処理結果のデータなどを記憶する。なお、プログラムは、コンピュータが読み取り可能なプログラムコードの形でＲＯＭ１６に記憶されている。
また、ＲＯＭ１６は、例えば、方眼紙模様データを記憶している。
【００２９】
ストロボユニット２０は、例えば、Ｉ／Ｏコントロール１２を介して制御部１１から入力される制御信号に従って、撮影室１ａ内の各位置に設置されたストロボ２０ａの発光タイミングや発光量などを制御する。
【００３０】
デジタルカメラ３０は、例えば、光学レンズと、ＣＣＤ（Charge Coupled Device）やＣＭＯＳ（Complementary Metal-Oxide Semiconductor）など撮像素子と、Ａ／Ｄ変換部と、などから構成されており、例えば、制御部１１から入力される制御信号に従って、被撮影者Ｍの顔を撮影して顔画像データを生成する。
具体的には、デジタルカメラ３０は、例えば、制御部１１から入力される制御信号に従って、光学レンズを介して入力された被写体像を撮像素子により光電変換してアナログ画像信号を生成し、そして、Ａ／Ｄ変換部により当該アナログ画像信号からデジタルの画像データ（顔画像データ）を生成して、当該顔画像データを制御部１１に出力する。
なお、デジタルカメラ３０に代えて、動画を記録可能なデジタルビデオカメラを適用するようにしてもよい。
【００３１】
表示部４０は、例えば、ＬＣＤ（Liquid Crystal Display）パネル等から構成されており、例えば、制御部１１から入力される表示信号に従って、所与の表示処理を行う。
【００３２】
入室センサ５０は、例えば、被撮影者Ｍが撮影室１ａ内に入室したことを検出するためのものであり、被撮影者Ｍの入室を検出すると、その検出信号を制御部１１に出力する。
なお、入室センサ５０としては、例えば、発光器と受光器とからなる光学式センサ等が適用可能である。
【００３３】
コインメック６０は、例えば、硬貨や紙幣の入金口や釣銭の返金口などを備えた金銭登録機である。コインメック６０は、例えば、入金口から入金された金額に関する情報をＩ／Ｏコントロール１２を介して制御部１１に出力するとともに、Ｉ／Ｏコントロール１２を介して制御部１１から入力された制御信号に従って釣銭額に応じた硬貨や紙幣を返金口に排出する。
【００３４】
操作部７０は、例えば、撮影室１ａの内壁に備えられた操作ボタン７０ａや、表示部４０と一体的に構成されたタッチパネル７０ｂなどから構成されており、例えば、被撮影者Ｍによる操作に伴う押下信号を、Ｉ／Ｏコントロール１２を介して制御部１１に出力する。
【００３５】
プリンタ部８０は、例えば、Ｉ／Ｆ１３を介して制御部１１から入力される制御信号に従って、被写体画像データに基づく被写体画像Ｐと、被写体画像Ｐの外側の余白部分に配置された方眼紙模様データに基づく方眼紙模様Ｑとを含む、制御部１１により生成された合成画像データに基づく合成画像を、所定の用紙Ｔにプリントする。これによって、証明写真撮影装置１により、例えば、図３に示すような、証明写真Ｒが作成されることになる。
なお、プリンタ部８０のプリント方式としては、昇華型熱転写方式や、溶融転写記録方式、電子写真方式、インクジェット方式などを適用してもよいし、その他のプリント方式を適用してもよい。また、銀塩写真像を形成する方式を適用してもよい。
【００３６】
＜証明写真の構成＞
次いで、証明写真撮影装置１により作成される証明写真Ｒの構成について説明する。
具体的には、図３に示す証明写真Ｒと、図４に示す図３の方眼紙模様Ｑ中のエリアＱ１を拡大した図と、図５に示す図４の方眼紙模様Ｑ（エリアＱ１）中のエリアＱ２を拡大した図と、図６に示す図５の方眼紙模様Ｑ（エリアＱ２）中のエリアＱ３を拡大した図と、図７に示す図６の方眼紙模様Ｑ（エリアＱ３）中のエリアＱ４を拡大した図と、を参照して説明する。
【００３７】
方眼紙模様Ｑの縦の罫線Ｓ１，…は、例えば、５mm間隔で配置された縦の太罫線Ｓ１１，…と、１mm間隔で配置された縦の細罫線Ｓ１２，…と、から成る。
同様に、方眼紙模様Ｑの横の罫線Ｓ２，…は、例えば、５mm間隔で配置された横の太罫線Ｓ２１，…と、１mm間隔で配置された横の細罫線Ｓ２２，…と、から成る。
【００３８】
例えば、図５及び６に示すように、縦の太罫線Ｓ１１は、例えば、２本のドットラインＬから形成されており、縦の細罫線Ｓ１２は、例えば、１本のドットラインＬから形成されている。
同様に、横の太罫線Ｓ２１は、例えば、２本のドットラインＬから形成されており、横の細罫線Ｓ２２は、例えば、１本のドットラインＬから形成されている。
【００３９】
例えば、図６に示すように、方眼紙模様Ｑの縦の罫線Ｓ１は、縦の罫線Ｓ１方向のドットラインＬ上に配置された着色ドットＤ，…（着色された略矩形状のドット領域ｄ，…）から構成されており、方眼紙模様Ｑの横の罫線Ｓ２は、横の罫線Ｓ２方向のドットラインＬ上に配置された着色ドットＤ，…（着色された略矩形状のドット領域ｄ，…）から構成されている。
【００４０】
着色ドットＤは、所定の配置法則に従ったドットパターンを成している。
具体的には、着色ドットＤは、例えば、一の着色ドットＤ（Ｄ１）の一の角部Ａに隣接する全て（ｎ個）のドット領域ｄのうち、着色されたドット領域ｄ（着色ドットＤ）がｎ−１個以下となるような、ドットパターンを成している。
より具体的には、着色ドットＤは、例えば、図７に示すように、一の着色ドットＤ１の一の角部Ａに隣接する全て（３個）のドット領域ｄのうち、着色ドットＤが２個以下（図７では２個）となるように、すなわち、一の着色ドットＤ１の一の角部Ａに隣接する全てのドット領域ｄが着色された着色ドットＤにならないような、ドットパターンを成している。
【００４１】
着色ドットＤは、例えば、プリンタ部８０により、所定の印字色（例えば、シアン）の最大濃度でプリントされている。したがって、図６では、縦の罫線Ｓ１と横の罫線Ｓ２とが識別可能となるように、縦の罫線Ｓ１を構成する着色ドットＤと、横の罫線Ｓ２を構成する着色ドットＤとで、色等を変えているが、実際には、縦の罫線Ｓ１を構成する着色ドットＤの色と、横の罫線Ｓ２を構成する着色ドットＤの色とは、略同一である。
【００４２】
縦の罫線Ｓ１は、複数種のドットパターンを有している。
具体的には、例えば、図５及び６に示すように、縦の太罫線Ｓ１１を構成する着色ドットＤは、例えば、１又は複数個（図６では３個）の着色ドットＤが縦方向に連続して並んだ着色ドット群Ｅ１を形成しており、着色ドット群Ｅ１が、１又は複数個（図６では１個）の着色されていないドット領域ｄ（無着色ドット）を隔てて縦方向に断続して並び、且つ、横方向に隣接する着色ドット群Ｅ１同士が、着色ドット群Ｅ１の端部に位置する着色ドットＤの一辺同士で接して並んだドットパターンを成している。
また、縦の細罫線Ｓ１２を構成する着色ドットＤは、例えば、縦方向に連続して並んだドットパターンを成している。
すなわち、縦の罫線Ｓ１は、縦の太罫線Ｓ１１と縦の細罫線Ｓ１２とで異なるドットパターンを成している。
【００４３】
ここで、例えば、図６に示すように、縦の罫線Ｓ１と横の罫線Ｓ２との交点Ｃでは、何れか一方の罫線（図６では縦の罫線Ｓ１）を構成する着色ドットＤのみが配置されており、他方の罫線（図６では横の罫線Ｓ２）を構成する着色ドットＤは配置されていない。すなわち、横の罫線Ｓ２は、交点Ｃ部分を飛ばしてプリントされている。
【００４４】
縦の罫線Ｓ１と同様に、横の罫線Ｓ２も、複数種のドットパターンを有している。
具体的には、例えば、図５及び６に示すように、横の太罫線Ｓ２１を構成する着色ドットＤは、交点Ｃ以外の部分では、例えば、１又は複数個（図６では１〜３個）の着色ドットＤが横方向に連続して並んだ着色ドット群Ｅ２を形成しており、着色ドット群Ｅ２が、１又は複数個（図６では１個）の着色されていないドット領域ｄ（無着色ドット）を隔てて横方向に断続して並び、且つ、縦方向に隣接する着色ドット群Ｅ２同士が、着色ドット群Ｅ２の端部に位置する着色ドットＤの一辺同士で接して並んだドットパターンを成している。
また、横の細罫線Ｓ２２を構成する着色ドットＤは、交点Ｃ以外の部分では、例えば、横方向に連続して並んだドットパターンを成している。
すなわち、横の罫線Ｓ２は、横の太罫線Ｓ２１と横の細罫線Ｓ２２とで異なるドットパターンを成している。
【００４５】
そして、縦の罫線Ｓ１及び横の罫線Ｓ２は、線幅が太いほど、罫線を形成するドットラインＬの本数が増加するとともに、線幅が太いほど、単位長さあたりの着色ドットＤが占める面積の割合（＝(単位長さあたりの着色ドットＤの個数)/(単位長さあたりのドット領域ｄの個数)）が小さくなるようになっている。
【００４６】
具体的には、例えば、図６に示すように、縦の太罫線Ｓ１１を形成するドットラインＬの本数は２本であり、縦の太罫線Ｓ１１における交点Ｃ１から交点Ｃ２までの領域Ｂ１１の単位長さあたりの着色ドットＤが占める面積の割合は「15/20」であるのに対し、縦の細罫線Ｓ１２を形成するドットラインＬの本数は１本であり、縦の細罫線Ｓ１２における交点Ｃ３から交点Ｃ４までの領域Ｂ１２の単位長さあたりの着色ドットＤが占める面積の割合は「20/20(＝10/10)」である。したがって、縦の太罫線Ｓ１１は、縦の細罫線Ｓ１２よりも、ドットラインＬの本数が多く、単位長さあたりの着色ドットＤが占める面積の割合が小さくなっている。
横の罫線Ｓ２のおいても、同様である。
【００４７】
なお、見た目の濃さ等を調整するために、縦の罫線Ｓ１のドットパターンや横の罫線Ｓ２のドットパターンには例外がある。
【００４８】
以上説明した本発明の証明写真Ｒによれば、証明写真Ｒの被写体画像Ｐの外側の余白部分に、方眼紙模様Ｑがプリントされており、方眼紙模様Ｑの縦の罫線Ｓ１が、縦の罫線Ｓ１方向のドットラインＬ上に配置された、着色されたドット領域ｄ（着色ドットＤ）から構成されるとともに、方眼紙模様Ｑの横の罫線Ｓ２は、横の罫線Ｓ２方向のドットラインＬ上に配置された、着色されたドット領域ｄ（着色ドットＤ）から構成されており、縦の罫線Ｓ１及び横の罫線Ｓ２は、複数種のドットパターンを有し、当該複数種のドットパターンは、罫線の線幅が太いほど、罫線を形成するドットラインＬの本数が増加するとともに、罫線の線幅が太いほど、単位長さあたりの着色ドットＤが占める面積の割合が小さくなるようになっている。
すなわち、本発明では、目立ち易い太罫線ほど、無着色のドット領域ｄの割合が大きくなるため、被写体画像Ｐの外側の余白部分にプリントされた方眼紙模様Ｑの太罫線と細罫線の見た目の濃さを、印字色や色濃度を変えずに略同等にすることができる。
【００４９】
また、一の着色ドットＤ（Ｄ１）の一の角部Ａに隣接する全て（ｎ個）のドット領域ｄのうち、着色されたドット領域ｄ（着色ドットＤ）はｎ−１個以下になっている。
したがって、例えば、一の着色ドットＤ１の一の角部Ａに隣接する全てのドット領域ｄが着色された場合には、当該一の角部Ａ付近が、当該一の角部Ａ付近以外の部分よりも色がのって濃くなるため、罫線の見た目の濃さが増大してしまうが、本発明では、当該全て（ｎ個）のドット領域ｄのうち、着色されたドット領域ｄ（着色ドットＤ）はｎ−１個以下であるため、罫線の見た目の濃さを増大させる要因を１つ排除することができる。
【００５０】
また、縦の罫線Ｓ１と横の罫線Ｓ２との交点Ｃでは、何れか一方の罫線を構成する着色ドットＤのみが配置されるようになっている。
したがって、例えば、交点Ｃ部分で、縦の罫線Ｓ１のドットパターンと横の罫線Ｓ２のドットパターンとが足し合わさると、交点Ｃ部分の着色ドットＤの割合が、交点Ｃ以外の部分の着色ドットＤの割合よりも大きくなるため、交点Ｃ部分の見た目の濃さが増大してしまうが、本発明では、交点Ｃ部分において、何れか一方の罫線を構成する着色ドットＤのみが配置され、他方の罫線を構成する着色ドットＤは配置されないため、縦の罫線のドットパターンと横の罫線のドットパターンとが足し合わさることがなくなって、交点Ｃ部分の着色ドットＤの割合と、交点Ｃ以外の部分の着色ドットＤの割合とを略同等にすることができる。
【００５１】
また、以上説明した本発明の証明写真撮影装置１によれば、上述したような効果を有する証明写真Ｒを作成することができる。
【００５２】
なお、本発明は、上記した実施の形態のものに限るものではなく、その要旨を逸脱しない範囲で適宜変更可能である。
縦の罫線Ｓ１と横の罫線Ｓ２との交点Ｃでは、縦の罫線Ｓ１を構成する着色ドットＤが成すドットパターンと、横の罫線Ｓ２を構成する着色ドットＤが成すドットパターンとが、一致するようにしてもよい。すなわち、交点Ｃ部分では、縦の罫線Ｓ１を構成する着色ドットＤと、横の罫線Ｓ２を構成する着色ドットＤとが重なってプリントされてもよい。
【００５３】
縦の罫線Ｓ１及び横の罫線Ｓ２は、線幅が太いほど、罫線を形成するドットラインＬの本数が増加するとともに、線幅が太いほど、単位長さあたりの着色ドットＤが占める面積の割合が小さいという条件と、一の着色ドットＤ１の一の角部Ａに隣接する全て（ｎ個）のドット領域ｄのうち、着色されたドット領域ｄはｎ−１個以下であるという条件を満たすのであれば、縦の罫線Ｓ１のドットパターンや横の罫線Ｓ２のドットパターンは任意である。
具体的には、例えば、縦の太罫線Ｓ１１のドットパターンは、例えば、図８に示すような縦の太罫線Ｓ１１ａ，Ｓ１１ｂ等であってもよいし、例えば、図９に示すような縦の太罫線Ｓ１１ｃ，Ｓ１１ｄ，Ｓ１１ｅ，Ｓ１１ｆ等であってもよい。
横の太罫線Ｓ２１も同様である。
【００５４】
縦の罫線Ｓ１及び横の罫線Ｓ２は、線幅が太いほど、単位長さあたりの着色ドットＤが占める面積の割合が小さいという条件を満たすのであれば、縦の細罫線Ｓ１２や横の細罫線Ｓ２２を構成する着色ドットＤは断続していてもよい。
すなわち、例えば、図６に示す縦の細罫線Ｓ１２における領域Ｂ１２は、領域Ｂ１２の単位長さあたりの着色ドットＤが占める面積の割合が、縦の太罫線Ｓ１１における領域Ｂ１１の単位長さあたりの着色ドットＤが占める面積の割合「15/20」よりも大きければ、例えば、図１０に示すような縦の細罫線Ｓ１２ｇ，Ｓ１２ｈ等であってもよい。ちなみに、縦の細罫線Ｓ１２ｇにおける領域Ｂ１２ｇの単位長さあたりの着色ドットＤが占める面積の割合と、縦の細罫線Ｓ１２ｈにおける領域Ｂ１２ｈの単位長さあたりの着色ドットＤが占める面積の割合は、「16/20(＝8/10)」である。
横の細罫線Ｓ２２も同様である。
【００５５】
ドット領域ｄの形状は、任意であり、例えば、略三角形状等であってもよい。
ドット領域ｄの形状が、略三角形状の場合は、縦の細罫線Ｓ１２は、例えば、図１１に示すような縦の細罫線Ｓ１２ｉ等となり、縦の太罫線Ｓ１１は、例えば、図１２に示すような縦の太罫線Ｓ１１ｊ，Ｓ１１ｋ等となる。
この場合であっても、一の着色ドットＤ１の一の角部Ａに隣接する全て（ｎ個）のドット領域ｄのうち、着色されたドット領域ｄはｎ−１個以下であるという条件は満たしている。
具体的には、図１３に示す図１２の縦の太罫線Ｓ１１ｊのエリアＱｊの拡大図のように、縦の太罫線Ｓ１１ｊを構成する着色ドットＤは、一の着色ドットＤ１ｊの一の角部Ａｊに隣接する全て（５個）のドット領域ｄのうち、着色ドットＤが４個以下（図１３では、４個）となるような、ドットパターンを成している。
【図面の簡単な説明】
【００５６】
【図１】本発明にかかる証明写真撮影装置を示す透視図である。
【図２】本発明にかかる証明写真撮影装置の機能的構成を示すブロック図である。
【図３】本発明にかかる証明写真撮影装置により作成される証明写真を示す図である。
【図４】図３の方眼紙模様中の一のエリアを拡大した図である。
【図５】図４の方眼紙模様中の一のエリアを拡大した図である。
【図６】図５の方眼紙模様中の一のエリアを拡大した図である。
【図７】着色ドットの配置法則を説明するための図である。
【図８】縦の太罫線のドットパターンの第１変形例を示す図である。
【図９】縦の太罫線のドットパターンの第２変形例を示す図である。
【図１０】縦の細罫線のドットパターンの第１変形例を示す図である。
【図１１】縦の細罫線のドットパターンの第２変形例を示す図である。
【図１２】縦の太罫線のドットパターンの第３変形例を示す図である。
【図１３】図１２の縦の太罫線における着色ドットの配置法則を説明するための図である。
【図１４】従来の証明写真撮影装置により作成される証明写真を示す図である。
【図１５】図１４の方眼紙模様中の一のエリアを拡大した図である。
【符号の説明】
【００５７】
１  証明写真撮影装置
Ａ  一の着色ドットの一の角部
Ｃ  交点
Ｄ  着色ドット
Ｄ１  一の着色ドット
ｄ  ドット領域
Ｌ  ドットライン
Ｐ  被写体画像
Ｑ  方眼紙模様
Ｒ  証明写真
Ｓ１  縦の罫線
Ｓ２  横の罫線
【図１】
0004452249.tif 000002
【図２】
0004452249.tif 000003
【図３】
0004452249.tif 000004
【図４】
0004452249.tif 000005
【図５】
0004452249.tif 000006
【図６】
0004452249.tif 000007
【図７】
0004452249.tif 000008
【図８】
0004452249.tif 000009
【図９】
0004452249.tif 000010
【図１０】
0004452249.tif 000011
【図１１】
0004452249.tif 000012
【図１２】
0004452249.tif 000013
【図１３】
0004452249.tif 000014
【図１４】
0004452249.tif 000015
【図１５】
0004452249.tif 000016